(57)【要約】      （修正有）【課題】回転カバーは組立の便利さを増し、構造を単純化するために、弾性要素なしで開閉することができるスタンプを提供する。【解決手段】スタンプは、台座１０Ａと、外殻２０Ａと、印刷装置と、カバー機構４０Ａとを有する。外殻２０Ａは、台座１０Ａの周囲に復元可能に配置され、２つの第１ガイド面２３を有する２つのガイド部２２を有する。印刷装置は、外殻２０Ａに協働して接続される。カバー機構４０Ａは、台座１０Ａ上に配置され、係合部材４１Ａと回転カバー４２Ａとを有する。係合部材４１Ａは台座１０Ａと係合し、２つの第１復元面４３を有する。回転カバー４２Ａは係合部材４１Ａと回転可能に係合し、２つの第２復元面４５および２つの第２ガイド面４７を有する２つの連結ロッド４４を有する。２つの第２復元面４５は、２つの第１復元面４３にそれぞれ当接する。２つの第２ガイド面４７は、２つの第１ガイド面２３にそれぞれ対向する。【選択図】図２
2020082715.tif 000002
【特許請求の範囲】
【請求項１】
スタンプであって、前記スタンプは次のものを含む：
台座と、前記台座は、
前記台座に形成されたチャンバ；
底面；
側面；
前記台座の前記底面に形成され、前記台座の前記チャンバに連通する底部開口；
前記台座の前記側面に形成され、前記台座の前記チャンバに連通する側部開口；及び
前記台座の前記側面に形成され、前記台座の前記側部開口に挿入される第１係合部；を有し、
前記台座の周囲に復元可能に配置される外殻と、前記外殻は、
前記台座の側面に面する側面；
底縁；
前記外殻の側面に形成され、前記外殻の前記底縁まで延び、前記側部開口に選択的に対向し、２つの側部を有する切れ込み；及び
前記切れ込みの両側にそれぞれ配置され、２つの底端と、２つのガイド部の前記底端にそれぞれ形成された２つの第１ガイド面と、を有し、間隔をあけて前記外殻に形成された前記２つのガイド部；を有し、
前記台座の前記チャンバ内に位置し、前記外殻に協働して接続される印刷装置と、
前記台座上に配置され、前記台座の前記側部開口に位置するカバー機構と、前記カバー機構は、
前記第１係合部と係合する係合部材と、前記係合部材は、
２つの側面；及び
前記係合部材の前記２つの側面にそれぞれ傾斜して形成された２つの第１復元面；を有し、
前記係合部材と回転可能に係合する回転カバーとを有し、前記回転カバーは、
間隔を置いて前記回転カバー上に形成された２つの連結ロッドを有し、前記２つの連結レッドのそれぞれが、
他方の連結ロッドの内側表面に面する内側表面；
第２復元面と、２つの連結ロッドの２つの内側表面上にそれぞれ形成され、２つの第１復元面にそれぞれ当接する２つの連結ロッドの２つの第２復元面；
２つの連結ロッドの外面、及び２つの連結ロッドの内面にそれぞれ対向する２つの連結ロッドの２つの外面；
ガイドブロックと、２つの連結ロッドの２つの外面にそれぞれ形成された２つの連結ロッドの２つのガイドブロック；及び
第２ガイド面と２つのガイドブロックにそれぞれ形成され、２つの第１ガイド面にそれぞれ対向する２つの連結ロッドの２つの第２ガイド面；を有し、
印刷において、前記外殻の２つのガイド部の２つの第１ガイド面は前記回転カバーを回転さ外殻ために２つのブロックの２つの第２ガイド面をそれぞれ押して、２つの第１復元面と２つの第２復元面との間に当接位置変化を生成し、２つの連結ロッドは当接位置変化によって外側に広がり、前記回転カバーに復元力を与える。
【請求項２】
請求項１に記載のスタンプであって、
前記２つの第１復元面の各々が、
上端と、
前記上端の下に位置する下端と、
前端と、
前記前端の後方に位置する後端と、を有し、
前記２つの第２復元面の各々が
上端と、
第２復元面の上端の下に位置する下端とを有し、
前記２つの第１復元面の前記２つの上端間の距離は前記２つの第１復元面の２つの下端間の距離よりも大きく、前記２つの第１復元面の前記２つの前端間の距離は２つの第１復元面の前記２つの後端間の距離よりも大きく、前記２つの第２復元面の前記２つの上端間の距離は前記２つの第２復元面の前記２つの下端間の距離よりも大きい、スタンプ。
【請求項３】
前記係合部材は２つの旋回穴を有し、前記２つの旋回穴は前記２つの第１復元面にそれぞれ形成され、前記２つの連結ロッドは２つの旋回ロッドを有し、前記２つの旋回ロッドは前記２つの第２復元面にそれぞれ形成され、前記係合部材の前記２つの旋回穴にそれぞれ挿入される、請求項１または２に記載のスタンプ。
【請求項４】
前記２つの旋回ロッドのそれぞれは前面および第１ガイド部を有し、前記第１ガイド部は前記旋回ロッドの前面に形成される、請求項３に記載のスタンプ。
【請求項５】
前記係合部材は２つの第２ガイド部を有し、前記２つの第２ガイド部は前記係合部材上に形成され、前記係合部材の２つの対向する側にそれぞれ位置し、前記係合部材の前記２つの旋回穴にそれぞれ延び、前記２つの第１係合部は、前記２つの第２ガイド部に沿って前記２つの旋回穴にそれぞれ挿入される、請求項４に記載のスタンプ。
【請求項６】
前記係合部材は溝と２つの第２係合部とを有し、前記溝は前記係合部材の上面に形成され、前記２つの第２係合部は前記係合部材の２つの対向する内面にそれぞれ形成され、前記台座の前記第１係合部は前記係合部材の前記溝に挿入され、前記第１係合部は前記係合部材と前記台座とを組み立てるために、前記２つの第２係合部と係合する、請求項１〜５のいずれか一項に記載のスタンプ。
【請求項７】
前記第１係合部は前記第１係合部を貫通する係合孔を有し、前記係合部材は溝と第２係合部とを有し、前記溝は前記係合部材の上面に形成され、前記第２係合部は前記係合部材の内面に形成され、前記第１係合部の前記係合孔に挿入される、請求項１〜５のいずれか一項に記載のスタンプ。
【発明の詳細な説明】
【技術分野】
【０００１】
本出願は２０１８年１１月１５日に出願された台湾特許出願第１０７１４０５８８号の利益を主張し、その全内容は、参照により本明細書に組み込まれる。
【０００２】
１．発明の分野
本発明はカバー機構を有するスタンプに関し、より詳細には、カバー機構を組み立てるのに便利なスタンプに関する。
【０００３】
２．関連技術の説明
従来のスタンプは、台座と、外殻と、印刷装置と、カバー機構とを有する。台座は、台座に形成されたチャンバと、底部開口と、側部開口とを有する。底部開口は、台座の底面に形成され、台座のチャンバと連通する。側部開口は、台座の側面に形成され、チャンバと連通する。外殻は、台座の周囲に復元可能に取り付けられる。印刷装置は、チャンバ内に配置され、外殻に協働して接続される。カバー機構は、台座上に回転可能に配置され、側部開口上に配置される。カバー機構は、回転カバーと、回動軸と、弾性要素とを有する。回転カバーは、台座上に配置され、チャンバ内に挿入される。回動軸は、回転カバーに挿通されている。旋回軸の２つの端部が台座に挿入される。弾性要素は、旋回軸の周囲に配置される。弾性要素の２つの端部は、それぞれ、台座および外殻に当接する。
【０００４】
台座を組み立てるために、旋回軸が回転カバーおよび弾性要素に挿入される。弾性要素および旋回軸のサイズは小さい。旋回軸は、弾性要素に挿入し難く、位置決めのために台座に横方向に挿入し難い。したがって、カバー機構を台座に組み付けるのは不便である。
【発明の概要】
【発明が解決しようとする課題】
【０００５】
本発明の目的は、組み立てるのに便利なスタンプを提供することである。
【課題を解決するための手段】
【０００６】
スタンプは、台座と、外殻と、印刷装置と、カバー機構とを有する。
【０００７】
台座は、台座に形成されたチャンバと、底部開口と、側部開口と、第１係合部とを有する。底部開口は、台座の底面に形成され、チャンバと連通している。側部開口は、台座の側面に形成され、チャンバと連通している。第１係合部は、台座の側面に形成され、台座の側部開口に挿入される。
【０００８】
外殻は、台座の周囲に復元可能に配置され、切れ込みおよび２つのガイドを有する。切れ込みは外殻の側面に形成され、外殻の底縁部まで延び、側部開口に選択的に面する。２つのガイドは外殻上に間隔を置いて形成され、それぞれ切れ込みの両側に配置され、各ガイドは底端および第１ガイド面を有する。２つの第１ガイド面は、２つのガイドの下端にそれぞれ形成されている。
【０００９】
印刷装置は、チャンバ内に配置され、外殻に協働して接続される。
【００１０】
カバー機構は台座上に配置され、側部開口上に位置し、係合部材と回転カバーとを有する。係合部材は第１係合部と係合し、２つの第１復元面を有する。第１復元面は、係合部材の両側にそれぞれ傾斜して形成されている。回転カバーは係合部材と回転可能に係合し、回転カバー上に間隔を置いて形成された２つの連結ロッドを有する。各連結ロッドは、第２復元面と、ガイドブロックと、第２ガイド面とを有する。２つの第２復元面は、２つの連結ロッドの２つの内面にそれぞれ形成され、２つの第１復元面にそれぞれ当接する。２つのガイドブロックは、２つの連結ロッドの２つの外面にそれぞれ形成されている。２つの第２ガイド面は、２つのガイドブロック上にそれぞれ形成され、２つの第１ガイド面にそれぞれ対向する。
【図面の簡単な説明】
【００１１】
【図１】本発明によるカバー機構を有するスタンプの第１実施形態の斜視図である。
【図２】図１のスタンプの分解斜視図である。
【図３】図２のスタンプのカバー機構の分解斜視図である。
【図４】図２のスタンプのカバー機構の斜視図である。
【図５】図４のスタンプのカバー機構の背面図である。
【図６】図１のスタンプの正面図である。
【図７】図６の線７−７に沿ったスタンプの部分断面図である。
【図８】回転カバーが閉じられていることを示す、図１のスタンプの操作正面図である。
【図９】図８のスタンプの操作斜視図であり、回転カバーが開いていることを示す。
【図１０】図９のスタンプの操作側面図であり、回転カバーが開いていることを示す。
【図１１】回転カバーが開いていることを示す、図９のスタンプの操作正面図である。
【図１２】本発明によるカバー機構を有するスタンプの第２実施形態の斜視図である。
【図１３】図１２のスタンプの正面図である。
【図１４】図１２のスタンプの分解斜視図である。
【図１５】図１４のスタンプのカバー機構の背面図である。
【発明を実施するための形態】
【００１２】
図１、７、および１２を参照すると、本発明によるスタンプの第１実施形態および第２実施形態では、スタンプが台座１０Ａ、１０Ｂ、外殻２０Ａ、２０Ｂ、印刷装置３０、およびカバー機構４０Ａ、４０Ｂを備える。
【００１３】
図１および図２を参照すると、台座１０Ａは、台座１０Ａに形成されたチャンバと、底部開口１１と、側部開口１２と、第１係合部１３Ａとを有する。底部開口１１は、台座１０Ａの底面に形成され、チャンバと連通している。側部開口１２は、台座１０Ａの側面に形成され、チャンバと連通している。第１係合部１３Ａは、台座１０Ａの側面に形成され、側部開口１２に挿入される。図２を参照して、第１係合部１３Ａは、２つの係合アーム１４を有する。２つの係合アーム１４は、台座１０Ａの側面に間隔を隔てて形成され、側部開口１２内に延びている。図１４を参照すると、第１係合部１３Ｂは、第１係合部１３Ｂを貫通して形成された係合孔１５を有する。
【００１４】
図１および図２を参照すると、外殻２０Ａは、台座１０Ａの周囲に復元可能に配置され、側面、底縁、切れ込み２１、および２つのガイド２２を有する。外殻２０Ａの側面は、台座１０Ａの側面と対向している。切れ込み２１は外殻２０Ａの側面に形成され、外殻２０Ａの底縁まで延び、側部開口１２に選択的に対向する。２つのガイド２２は外殻２０Ａに間隔を隔てて形成され、それぞれ切れ込み２１の両側に位置し、２つの第１ガイド面２３を有する。２つの第１ガイド面２３は、２つのガイド２２の２つの下端にそれぞれ形成されている。図１を参照して、台座１０Ａの形状および外殻２０Ａの形状は、上から見て矩形である。図１２および図１３を参照して、台座１０Ｂの形状および上面から見た外殻２０Ｂの形状は円形である。
【００１５】
図２、図６および図７を参照すると、印刷装置３０は、チャンバ内に配置され、外殻２０Ａに協働的に接続されている。印刷装置３０は、回転式の印刷装置３０である。
【００１６】
図２および図１２を参照して、カバー機構４０Ａ、４０Ｂは、台座１０Ａ、１０Ｂに配置され、側部開口１２に配置され、係合部材４１Ａ、４１Ｂおよび回転カバー４２Ａ、４２Ｂを有する。図２〜５を参照すると、係合部材４１Ａは第１係合部１３Ａに係合し、２つの側部および２つの第１復元面４３を有する。第１復元面４３は、係合部材４１Ａの両側にそれぞれ傾斜して形成されている。回転カバー４２Ａは係合部材４１Ａに回転可能に係合し、２つの連結ロッド４４を有する。２つの連結ロッド４４は回転カバー４２Ａに間隔を隔てて形成されており、各連結ロッド４４は、内面と、第２復元面４５と、外面と、ガイドブロック４６と、第２ガイド面４７とを有している。２つの連結ロッド４４の２つの内面は、互いに対向している。２つの第２復元面４５は、２つの連結ロッド４４の２つの内面にそれぞれ形成され、２つの第１復元面４３にそれぞれ当接する。２つの連結ロッド４４の２つの外面は、２つの連結ロッド４４の内面にそれぞれ対向している。２つのガイドブロック４６は、２つの連結ロッド４４の２つの外面にそれぞれ形成されている。図６および図７を参照すると、２つの第２ガイド面４７は、２つのガイドブロック４６上にそれぞれ形成され、２つの第１ガイド面２３にそれぞれ対向する。印刷において、２つの第１ガイド面２３はそれぞれ、２つの第２ガイド面４７を押して、回転カバー４２Ａを回転させて、２つの第１復元面４３と２つの第２復元面４５との間の当接位置変化を生成し、それによって、２つの連結ロッド４４は、当接位置変化によって外側に広がって、回転カバー４２Ａに復元力を提供する。
【００１７】
図３〜図５を参照すると、２つの第１復元面４３の各々は、上端、下端、前端、および後端を有する。２つの第１復元面４３の２つの下端は、２つの第１復元面４３の２つの上端の下に位置する。２つの第１復元面４３の２つの後端は、２つの第１復元面４３の２つの前端の背後に位置する。２つの第２復元面４５のそれぞれは、上端および下端を有する。２つの第２復元面４５の下端は、２つの第２復元面４５の２つの上端の下に位置する。２つの第１復元面４３の２つの上端間の距離は、２つの第１復元面４３の２つの下端間の距離よりも大きい。２つの第１復元面４３の２つの前端間の距離は、２つの第１復元面４３の２つの後端間の距離よりも大きい。２つの第２復元面４５の２つの上端間の距離は、２つの第２復元面４５の２つの下端間の距離よりも大きい。
【００１８】
また、係合部材４１Ａには、２つの回動孔４８が設けられている。２つの回動孔４８は、２つの第１復元面４３にそれぞれ形成されている。２つの連結ロッド４４の各々は、回動ロッド４９を有する。２つの回動ロッド４９は、２つの第２復元面４５にそれぞれ形成され、２つの回動孔４８にそれぞれ挿入される。さらに、２つの回動ロッド４９の各々は、前面および第１ガイド部４９１を有する。２つの第１ガイド部４９１は、２つの回動ロッド４９の２つの前面にそれぞれ形成されている。係合部材４１Ａは、２つの対向する側部と、２つの第２ガイド部４８１とを有する。２つの第２ガイド部４８１は係合部材４１Ａに形成され、係合部材４１Ａの両側にそれぞれ位置し、２つの回動孔４８まで延びている。２つの第１係合部４９１は、２つの第２ガイド部４８１に沿って２つの回動孔４８にそれぞれ挿入される。
【００１９】
図２および図３を参照すると、係合部材４１Ａは、上面と、溝４１１Ａと、２つの対向する内面と、２つの第２係合部４１２Ａとを有する。溝４１１Ａは、係合部材４１Ａの上面に形成されている。対向する内面は、係合部材４１Ａに形成され、溝４１１Ａに隣接して配置される。２つの第２係合部４１２Ａは、係合部材４１Ａの対向する２つの内面にそれぞれ形成されている。第１係合部１３Ａは、溝４１１Ａに挿入される。第１係合部１３Ａは、係合部材４１Ａと台座１０Ａとを組み付けるための係合アーム１４と係合する。
【００２０】
図１４及び図１５を参照すると、第１係合部１３Ｂは、第１係合部１３Ｂを貫通して形成された係合孔１５を有する。係合部材４１Ｂは、上面と、溝４１１Ｂと、内面と、第２係合部４１２Ｂとを有する。溝４１１Ｂは、係合部材４１Ｂの上面に形成されている。内面は、係合部材４１Ｂに形成され、溝４１１Ｂに隣接して配置され、係合孔１５に対向している。第２係合部４１２Ｂは、係合部材４１Ｂの内面に形成され、係合孔１５に挿入される。
【００２１】
図３および図７を参照して、回転カバー４２Ａは、前板部４２１および後板部４２２を有する。前板部４２１は、側部開口１２に位置している。後板部４２２は、前板部４２１の上縁に横方向に形成され、チャンバ内に挿入され、印刷装置３０の下方に位置する。２つの連結ロッド４４は前板部４２１の上縁に位置し、上方に延びている。
【００２２】
図７〜図１１を参照して、印刷装置３０は、外殻２０Ａによって駆動され、下方に移動する。２つのガイド部２２は下方に移動する。２つの第１ガイド面２３は２つの第２ガイド面４７にそれぞれ当接し、２つのガイド部２２は、２つのガイドブロック４６と外殻２０Ａとの間に挿入され、回転カバー４２Ａを押圧して回転する。回転カバー４２Ａの後板部４２２は、側部開口１２から回転して出て、底部開口１１に対向しない。印刷装置３０は、印刷のために底部開口１１から延びることができる。
【００２３】
カバー機構４０Ａにおいて、２つの第１復元面４３の２つの上端間の距離は、２つの第１復元面４３の２つの下端間の距離よりも大きい。２つの第１復元面４３の２つの前端間の距離は、２つの第１復元面４３の２つの後端間の距離よりも大きい。２つの第２復元面４５の２つの上端間の距離は、２つの第２復元面４５の２つの下端間の距離よりも大きい。回転カバー４２Ａが回転して開くと、第１復元面４３と第２復元面４５との当接位置が変化する。２つの連結ロッド４４は、復元力を提供するためにわずかに外側に広げられる。外殻２０Ａが上方に移動すると、回転カバー４２Ａは、弾性要素なしで復元力によって自動的に復元することができる。
【００２４】
図２〜図５を参照して、組立時には、回転カバー４２Ａが横方向に押されて係合部材４１Ａに配置される。回転カバー４２Ａの２つの回動ロッド４９は第１ガイド部４９１が第２ガイド部４８１に沿って移動することにより、回動孔４８に円滑にそれぞれ挿入される。係合部材４１は、台座１０Ａの第１係合部１３Ａに上向きに係合する。第１係合部１３Ａの２つの係合アーム１４は、係合部材４１Ａの溝４１１Ａに挿入される。２つの係合アーム１４は、係合部材４１Ａを位置決めする２つの第２係合部４１２Ａにそれぞれ係合する。
【００２５】
従って、第１ガイド面２３は第２ガイド面４８と協働する。第１復元面４３は、第２復元面４５と協働する。回転カバー４２Ａ、４２Ｂは、弾性要素なしで外殻２０Ａ、２０Ｂの移動によって自動的に開くことができる。カバー機構４０Ａ、４０Ｂの構造は簡略化されている。カバー機構４０Ａ、４０Ｂの組立は便利である。回転カバー４２Ａ、４２Ｂは、係合部材４１Ａ、４１Ｂに係合する。第１係合部１３Ａ、１３Ｂは、第２係合部４１２Ａ、４１２Ｂと協働する。したがって、カバー機構４０Ａ、４０Ｂを台座１０Ａ、１０Ｂに迅速に配置することができ、組立の便利さを高めることができる。
【図１】
2020082715.tif 000003
【図２】
2020082715.tif 000004
【図３】
2020082715.tif 000005
【図４】
2020082715.tif 000006
【図５】
2020082715.tif 000007
【図６】
2020082715.tif 000008
【図７】
2020082715.tif 000009
【図８】
2020082715.tif 000010
【図９】
2020082715.tif 000011
【図１０】
2020082715.tif 000012
【図１１】
2020082715.tif 000013
【図１２】
2020082715.tif 000014
【図１３】
2020082715.tif 000015
【図１４】
2020082715.tif 000016
【図１５】
2020082715.tif 000017